(57)【要約】【課題】中枠側の静電気をアース基板に放電するためのアース線を無くし、セット盤の着脱や開閉作業が簡単で、アース線に起因する問題発生を防止する。【解決手段】中枠に、前枠、上球皿あるいは遊技盤の各構成部材に電気的に接続する金属補強板６８が配設される。機構セット盤２２に、電源基板に電気的に接続する導通部材８８が配設される。機構セット盤２２における導通部材８８の配設位置に、前後方向に貫通する挿通口９１が形成され、該挿通口９１を介して導通部材８８の接触部８９が機構セット盤２２の前面側に所定長さだけ突出する。接触部８９の挿通口９１から前方に突出する前端部は円弧状に折曲され、その前側弧状部８９ａは、機構セット盤２２を中枠１２の裏面所定位置に位置決めセットした際に、中枠１２の金属補強板６８における上側の折曲片７５に弾力的に接触し、電気的に接続される。【選択図】図１
2005095330.tif 000002
【特許請求の範囲】
【請求項１】
遊技盤および前面枠が取付けられる中枠と、外部アースと接続するアース部を備え、前記中枠の裏面所定位置に着脱または開閉可能に取付けられるセット盤とを有する遊技機において、
前記中枠に配設され、少なくとも前記遊技盤の構成部材および前面枠の構成部材あるいは何れかの構成部材と電気的に接続される第１導電部材と、
前記セット盤に配設され、前記アース部と電気的に接続される第２導電部材とからなり、
前記中枠の裏面所定位置に前記セット盤を位置させた際に、前記両導電部材が接触するよう構成した
ことを特徴とする遊技機。
【請求項２】
少なくとも一方の導電部材は、両導電部材が接触する方向へ付勢されている請求項１記載の遊技機。
【請求項３】
前記一方の導電部材は、板金の端部を円弧状に折り曲げることで形成した弾性変形可能な接触部を有し、該接触部を他方の導電部材に弾力的に接触するよう構成した請求項２記載の遊技機。
【発明の詳細な説明】
【技術分野】
【０００１】
この発明は、遊技機に関し、更に詳しくは、遊技盤等が配設される中枠側に発生する静電気を、該中枠に着脱あるいは開閉自在に配設されるセット盤のアース部に放電して除去するようにした遊技機に関するものである。
【背景技術】
【０００２】
金属製の遊技球を用いる遊技機では、遊技球が機裏側の球通路や遊技盤の遊技領域等を移動する際に、遊技球同士の接触や各種構成部材との接触により、該遊技球あるいは構成部材に高い電位の静電気が帯電することがある。この場合に、遊技球と構成部材との接触により帯電していた静電気が電子機器の近くで放電すると、ノイズとなって電子機器が誤動作したり、故障したりするおそれがあった。そこで、このような事態を防止するため、遊技球が接触する可能性のある各種構成部材を、遊技機に設けられたアース部に電気的に接続することによって、好適に静電気をアース部へ放電する対策が採られている。
【０００３】
ここで、前記遊技機の中枠には、案内レールや入賞装置等を備える遊技盤、発射レール等を有する発射装置、前枠および球皿等、遊技球と接触する部材が多数設けられると共に、遊技球が流通する球通路も形成されており、中枠側には多くの静電気が発生するおそれがあるため、該中枠側について前述したと同様の静電気除去対策を施す必要がある。そこで、中枠に配設されている例えば球皿や発射レール等を、該中枠の裏側に配設されたセット盤に設けられた電源基板(アース基板)に、導電性を有する合成樹脂製の中枠およびアース線を介して接続し、中枠に帯電された静電気をアース基板を介して外部電源に逃すよう構成したものが提案されている(例えば、特許文献１参照)。
【特許文献１】特開２００２−３４６１６５号公報
【発明の開示】
【発明が解決しようとする課題】
【０００４】
前記セット盤には多くの配線が取付けられており、遊技機の動作に不具合が生じた場合は、配線チェック(点検)のためにセット盤を中枠から取外したり、あるいは不具合の原因によってはセット盤の交換を必要とする場合がある。また、遊技盤を中枠に対して後から装着する後ろ入れ式の遊技機の場合、機種変更に伴う遊技盤の交換作業の際には、前記セット盤を中枠から取外して(開放して)、遊技盤用の収容部を開放する必要がある。このように点検や交換に伴い中枠からセット盤を取外す場合は、中枠とセット盤間を接続する前記アース線の着脱作業が必要となり、点検・交換作業が煩わしいものとなったり、あるいはアース線が中枠とセット盤との間に挟まって断線するおそれもある。
【０００５】
すなわち本発明は、前述した従来の技術に内在している前記課題に鑑み、これを好適に解決するべく提案されたものであって、中枠側の静電気をアース部に放電するためのアース線を無くし、セット盤の着脱や開閉作業が簡単で、アース線に起因する問題発生を防止し得る遊技機を提供することを目的とする。
【課題を解決するための手段】
【０００６】
前記課題を克服し、所期の目的を好適に達成するため、本発明に係る遊技機は、
遊技盤(15)および前面枠(16,17)が取付けられる中枠(12)と、外部アースと接続するアース部(84)を備え、前記中枠(12)の裏面所定位置に着脱または開閉可能に取付けられるセット盤(22)とを有する遊技機において、
前記中枠(12)に配設され、少なくとも前記遊技盤(15)の構成部材(50,51,52)および前面枠(16,17)の構成部材(55,56,58,61,64,65)あるいは何れかの構成部材(50,51,52,55,56,58,61,64,65)と電気的に接続される第１導電部材(68)と、
前記セット盤(22)に配設され、前記アース部(84)と電気的に接続される第２導電部材(88)とからなり、
前記中枠(12)の裏面所定位置に前記セット盤(22)を位置させた際に、前記両導電部材(68,88)が接触するよう構成したことを特徴とする。
【０００７】
また、少なくとも一方の導電部材(88)は、両導電部材(68,88)が接触する方向へ付勢されるようになっていてもよい。
【０００８】
更に、前記一方の導電部材(88)は、板金の端部を円弧状に折り曲げることで形成した弾性変形可能な接触部(89)を有し、該接触部(89)を他方の導電部材(68)に弾力的に接触するよう構成してもよい。
【発明の効果】
【０００９】
本発明に係る請求項１の遊技機によれば、前記中枠の裏面所定位置に前記セット盤を位置させた際に、中枠の第１導電部材とセット盤の第２導電部材とが接触して、中枠側の構成部材とセット盤のアース部とを電気的に接続するよう構成したから、中枠とアース部とを接続するアース線を省略することができる。従って、アース線を使用した場合に比べ、セット盤の着脱、開閉作業が簡易化される。また、断線等の心配もなく、確実な静電気除去を行ない得る。
【００１０】
請求項２の遊技機によれば、少なくとも一方の導電部材を、両導電部材が接触する方向に付勢するよう構成したから、両導電部材を適度な力で圧接することができ、アース接続の信頼性を向上することができる。また請求項３の遊技機によれば、一方の導電部材における他方の導電部材と接触する接触部を円弧状に折り曲げ形成したから、中枠とセット盤を近づけた際に他方の導電部材の接触面に対してスライドし易く、接触面が削れたり変形するのを抑制し得る。
【発明を実施するための最良の形態】
【００１１】
次に、本発明に係る遊技機につき、好適な実施例を挙げて、添付図面を参照して以下に説明する。なお、実施例では、遊技機として、中枠の枠口内部にパチンコ球用の遊技盤がセットされた一般的なパチンコ機の場合について説明する。
【実施例】
【００１２】
(パチンコ機の概略説明)
実施例のパチンコ機１０は、その基本的構成の概要として図２または図３に略示するように、縦長方形の外郭をなす外枠１１の開口前面側に、各種の遊技盤用構成部材をセットする縦長方形の中枠１２が第１の連結支持手段１３および施錠手段１４を利用して横開き形態で開閉および着脱が可能に組付けられている。そしてこの中枠１２の前面側に、遊技盤１５の透視保護窓であるガラス体を着脱自在に備えた前枠１６と、上球皿１７とが第２または第３の連結支持手段１８,１９(後述)を利用して共に横開き形態で開閉可能に組付け整合される一方、中枠１２の下部には下球皿２０および打球発射装置における打球操作部２１等が装着セットされ、また中枠１２の裏側に各種の球経路および球処理・払出部等を備えた機構セット盤(セット盤)２２がセットされている。なお、中枠１２の前面に配設される前枠１６、上球皿１７および下球皿２０等が前面枠と総称される。また、前記各連結支持手段１３,１８,１９は、パチンコ機１０の一方の側(正面視において左側)に配設され、前記施錠手段１４は他方の側(正面視において右側)に配設されており、以後の説明において、各連結支持手段１３,１８,１９が配設される側を一方の側(側部)、施錠手段１４が配設される側を他方の側(側部)と指称するものとする。
【００１３】
(外枠について)
前記外枠１１の一方の側における上隅部には、図２に示す如く、前記第１の連結支持手段１３を構成する上支持受具２３が配設されており、該上支持受具２３に下向きに形成した上支軸２３ａを、前記中枠１２に配設した第１の連結金具３８(後述)の第１軸孔４２ａに挿通するようになっている。同様に、前記外枠１１の一方の側における下隅部には、前記第１の連結支持手段１３を構成する下支持受具２４が配設されており、該下支持受具２４に上向きに形成した下支軸(図示せず)を、前記中枠１２に配設した後述する第２の連結金具３９の軸孔４６ａに挿通するよう構成される。
【００１４】
(中枠について)
前記中枠１２は、全体が導電性を有する合成樹脂により前記外枠１１の開口領域に整合する外形サイズに成形されて、図４または図７に示すように、遊技盤１５を保持する遊技盤保持部２５を開設した枠本体部２６と、該遊技盤保持部２５の下部に設けられて前記上球皿１７が組付けられる遊技補助盤２７と、該遊技補助盤２７の下部に位置して下球皿２０が組付けられる設置盤２８とから構成される。そして、遊技補助盤２７の前面に、導電性を有する取付けベース(図示せず)を介して発射レール２９が配設されると共に、該遊技補助盤２７および設置盤２８には、賞球用やファール球回収用等の各種の球通路が形成されている。
【００１５】
前記遊技盤保持部２５は、前記枠本体部２６における開口前面の３周縁(上縁および一方および他方の側縁)から後方に所定長さで延在する側壁面(内側辺)２５ａと、該側壁面２５ａの後端から内方に向けて直角に延出する遊技盤支持面２５ｂおよび前記遊技補助盤２７の上端面とから構成され、これら側壁面２５ａ、遊技盤支持面２５ｂおよび遊技補助盤２７の上端面により内部画成された収容部２５ｃに、前記遊技盤１５が着脱自在に収容セットされるようになっている。すなわち、前記遊技盤１５は、その下面が遊技補助盤２７の上端縁に載置された状態で、裏面が遊技盤支持面２５ｂに当接して後方への移動が規制されると共に、側面を該遊技盤支持面２５ｂと交差する側壁面２５ａに整合した状態で収容部２５ｃに収容される。
【００１６】
前記遊技盤保持部２５における一方の側の側壁面２５ａには、前記遊技盤１５の一側縁部を保持する２個(１個あるいは３個以上であってもよい)の保持金具として保持具３０が配設されるのに対し、対向する他方の側の側壁面２５ａ側の遊技盤支持面２５ｂには、該遊技盤１５の他側縁部を固定支持する複数(２個)の固定装置３１が設けられている(図４参照)。そして、収容部２５ｃ内に収容された遊技盤１５は、一方の側端部を保持具３０で保持すると共に、他方の側端部を固定装置３１で固定支持することで、該遊技盤１５は収容部２５ｃ内に着脱自在にセットされる。
【００１７】
(保持具について)
次に、前記保持具３０の具体的な構成につき説明する。図８または図９に示すように、前記保持具３０は、金属製の導電性を有する部材であって、前記遊技盤保持部２５の側壁面２５ａに取付けられる固定部材３２と、この固定部材３２に枢支軸３３を介して回動自在にヒンジ接続した保持部材３４とから構成されている。なお、保持具３０は、前記遊技盤保持部２５の一方の側壁面２５ａにおいて、前記遊技盤１５を取付けた際にその遊技領域１５ａに干渉しないよう、上下方向に所要間隔離間した２箇所に設けられる。
【００１８】
前記固定部材３２は、図８に示すように、矩形状の板状体における両端縁を同一方向に折曲したコの字状に形成され、対向する両端縁の折曲部３２ａ,３２ａに挟まれた取付面３２ｂには、上下方向に所要間隔離間する位置に、左右に貫通するネジ孔３２ｃ,３２ｃが螺設される。また、前記遊技盤保持部２５の側壁面２５ａにおける保持具３０の取付け位置には、該ネジ孔３２ｃ,３２ｃと左右に整合する位置に、左右方向に貫通する側部貫通孔２６ａ,２６ａが穿設されている。そして、側壁面２５ａに取付面３２ｂを当接させて折曲部３２ａ,３２ａを内方に向けて延在させると共に、該折曲部３２ａ,３２ａが上下の関係で位置するよう配置された固定部材３２は、後述する金属補強板６８に形成した側部通孔７０ａ,７０ａおよび枠本体部２６の前記側部貫通孔２６ａ,２６ａに外側から挿通した金属製のネジ(連結具)３５,３５をネジ孔３２ｃ,３２ｃに螺挿することで側壁面２５ａに固定される。
【００１９】
前記保持部材３４は、矩形状の板状体における略中間部位を略９０度で折曲してＬ字状に形成し、その内方に臨む面がＬ字状に交差する第１規制面３４ａと第２規制面３４ｂとなっている。保持部材３４における第１規制面３４ａと第２規制面３４ｂとが交差する線と直交する両端縁には、外方に延出した一対のヒンジ片３４ｃ,３４ｃが一体的に折曲形成されている。そして、前記固定部材３２における折曲部３２ａ,３２ａをヒンジ片３４ｃ,３４ｃで挟持するよう保持部材３４を位置決めした状態で、折曲部３２ａ,３２ａおよびヒンジ片３４ｃ,３４ｃに形成した図示しない通孔に枢支軸３３を共通的に挿通することで、該固定部材３２に対して保持部材３４が回動可能に配設される。
【００２０】
前記第１規制面３４ａの延出寸法は、前記遊技盤１５の厚さより短尺になるよう設定してある。これに対し、第２規制面３４ｂの延出寸法および前記保持部材３４の長さ寸法(両ヒンジ片３４ｃ,３４ｃの離間方向に沿う方向の寸法)は、遊技盤１５の遊技領域１５ａに干渉せず、かつ該遊技盤１５の側端部を有効に挟持し得る所要の寸法に設定されている。なお、固定部材３２に対して枢支軸３３を介して回動可能に軸支された保持部材３４は、各ヒンジ片３４ｃと折曲部３２ａおよび枢支軸３３が相互に接触することで、電気的に接続された状態(電気的導通状態)となっており、従って保持部材３４は固定部材３２およびネジ３５を介して金属補強板６８に電気的に接続された状態(電気的導通状態)となるようにしてある。
【００２１】
前記保持具３０は、前記枢支軸３３に巻装したコイルバネ等の付勢手段３６により、前記保持部材３４が常には第２規制面３４ｂが前記遊技盤支持面２５ｂから離間する方向に向けて付勢され、該保持部材３４を後方(遊技盤支持面２５ｂ側)に向けて回動するのに伴い、該第２規制面３４ｂが遊技盤支持面２５ｂに対向する位置に変移するようになっている。これに対し、前記付勢手段３６により前面側(パチンコ機１０の前側)に前記第１規制面３４ａが常には臨み、前記保持部材３４を後方に回動するのに伴い、該第１規制面３４ａが前記遊技盤保持部２５の内方に臨む位置(側壁面２５ａに対向する位置)に変移するようになっている。そして、前記保持部材３４は、通常使用状態(収容部２５ｃに遊技盤１５を収容セットした状態)では、前記第１規制面３４ａが、遊技盤１５の側端面あるいは後述する導電板５４の第２面部５４ｂに面接触して前記側壁面２５ａと対向して延在すると共に、第２規制面３４ｂは遊技盤１５の盤面を保持しつつ遊技盤支持面２５ｂと対向している。なお、対向した前記第２規制面３４ｂと遊技盤支持面２５ｂとの間隔は、前記遊技盤１５の厚さと略同一寸法か、僅かに短くなるよう設定され、両者３４ｂ,２５ｂの間で遊技盤１５を確実に挟持し得るようにしてある。
【００２２】
なお、前記各保持具３０の配設位置に対応する枠本体部２６における遊技盤支持面２５ｂの裏側に臨む部位には、図５または図６に示す如く、上下に離間する位置に係合突部３７,３７が突設されており、該係合突部３７,３７に、前記金属補強板６８における後述の係合片７５ａ,７５ａが係脱自在に係合するよう構成される。
【００２３】
(連結金具について)
前記中枠１２(枠本体部２６)の前面における一方の側の上端部に第１の連結金具(ヒンジ金具)３８が配設されると共に、該中枠１２(設置盤２８)の前面における一方の側の下端部に第２の連結金具(ヒンジ金具)３９が配設されている。また、前記中枠１２の前面における前記遊技補助盤２７の一方の側には、前記前枠１６の下端部および前記上球皿１７を開閉自在に枢支する第３の連結金具(ヒンジ金具)４０が配置される。
【００２４】
(第１の連結金具)
図７または図１０に示すように、前記金属製の第１の連結金具３８は、中枠１２に当接する第１取付面４１と、該第１取付面４１の上端縁から前方に水平に延在するよう折曲形成された第１水平片部４２とから略Ｌ字状に成形されて、前記金属補強板６８にネジ止めされる。また、前記第１水平片部４２の上側には、前記上支軸２３ａを挿入し得る第１軸孔４２ａが形成されると共に、該第１水平片部４２の下側には、下方に開口する第２軸孔４２ｂが形成されており、前記前枠１６の一方の側の上端部に上方に向けて突設した後述する支持軸５５ａ(図１０参照)が該第２軸孔４２ｂに挿通される。
【００２５】
前記第１取付面４１には、図７に示すように、左右方向に所要間隔離間する位置に前後に貫通する第１の通孔４１ａ,４１ａが穿設される一方、前記中枠１２の一方の側の上端部には、各第１の通孔４１ａと対応する位置に、前後方向に貫通する第１の貫通孔２６ｂを夫々穿設してある。そして、前記第１の連結金具３８の前側から各第１の通孔４１ａに挿通した金属製のネジ(連結具)４４を、対応する第１の貫通孔２６ｂに夫々挿通すると共に、前記金属補強板６８に形成した後述する第１のネジ孔７１ａに夫々螺挿することにより、第１の連結金具３８を中枠１２の一方の側の上端部に固定するようになっている。この状態で、第１の連結金具３８は、ネジ４４を介して金属補強板６８に電気的に接続される状態(電気的導通状態)となるよう構成され、これによって、該第１の連結金具３８の第２軸孔４２ｂに支持軸５５ａを介して接触する前枠１６の後述する第１補強板５５は、該第１の連結金具３８を介して金属補強板６８に電気的に接続される状態(電気的導通状態)となるようにしてある。
【００２６】
(第２の連結金具)
前記金属製の第２の連結金具３９は、図７または図１０に示すように、前記中枠１２に当接する第２取付面４５と、該第２取付面４５の下端縁から前方に水平に延出する第２水平片部４６とから略Ｌ字状に形成されて、該第２水平片部４６に穿設された軸孔４６ａに、前記外枠１１の下支軸を挿通することで外枠１１に対し中枠１２を枢支する第１の連結支持手段１３として機能している。すなわち、前記外枠１１に形成した前記下支軸を前記第２の連結金具３９に形成した軸孔４６ａに挿入した状態で、該外枠１１に形成した前記上支軸２３ａを前記第１の連結金具３８に形成した第１軸孔４２ａに挿入することにより、中枠１２が外枠１１に対し開閉し得るようになっている。
【００２７】
また、前記第２取付面４５には、前後に貫通する第２の通孔４５ａが３箇所に穿設される一方、前記中枠１２の一方の側の下端部には、各第２の通孔４５ａと対応する位置に、前後方向に貫通する第２の貫通孔２８ａが夫々穿設されている。そして、前記第２の連結金具３９の前側から各第２の通孔４５ａに挿通した金属製のネジ(連結具)４４を、前記中枠１２の対応する第２の貫通孔２８ａに夫々挿通すると共に、前記金属補強板６８に形成した後述の第２のネジ孔７２ａに夫々螺挿することにより、第２の連結金具３９を中枠１２の一方の側の下端部に固定するよう構成される。
【００２８】
(第３の連結金具)
前記金属製の第３の連結金具４０は、図７または図１０に示すように、前記中枠１２に当接する第３取付面４７と、該第３取付面４７の上端縁から前方に向けて延出する上支持片４８と、第３取付面４７の下端縁から前方に向けて延出する下支持片４９とから断面略コ字状に形成されている。また、前記上支持片４８には、上方に向けて突出する第１支軸４８ａと、下方に向けて垂下する第２支軸４８ｂとが夫々形成されると共に、前記下支持片４９には、上下方向に貫通する軸孔４９ａが形成される。そして、前記前枠１６の一方の側の下端部に形成した軸支孔５５ｂに、前記第１支軸４８ａを挿通すると共に、該前枠１６における一方の側の上端部に突設した支持軸５５ａを、前記第１の連結金具３８の前記第２軸孔４２ｂに挿通することにより、当該前枠１６が前記中枠１２に対して開閉自在に枢支される。一方、前記上球皿１７における一方の側の上端部に形成した軸支孔６２ａに、前記上支持片４８の第２支軸４８ｂを挿通すると共に、該上球皿１７の一方の側の下端部に形成した支持軸６３を、前記下支持片４９の軸孔４９ａに挿通することにより、当該上球皿１７が前記中枠１２に対して開閉自在に枢支されている。すなわち、前記第３の連結金具４０は、前記上球皿１７を枢支する前記第３の連結支持手段１９として機能すると共に、前記前枠１６を枢支する第２の連結支持手段１８としても機能している。
【００２９】
前記第３取付面４７には、上下方向に所要間隔離間する位置に、前後に貫通する第３の通孔４７ａ,４７ａが穿設される一方、前記中枠１２の対応する一方の側部には、各第３の通孔４７ａと前後に整合する位置に、前後方向に貫通する第３の貫通孔２７ａが夫々穿設されている。そして、前記第３の連結金具４０の前側から各第３の通孔４７ａに挿通した金属製のネジ(連結具)４４を、前記中枠１２の対応する第３の貫通孔２７ａに夫々挿通すると共に、前記金属補強板６８に形成した後述の第３のネジ孔７３ａに夫々螺挿することにより、第３の連結金具４０を前記中枠１２の一方の側部に固定するようになっている。この状態で、第３の連結金具４０は、ネジ４４を介して金属補強板６８に電気的に接続する状態(電気的導通状態)とされるよう構成され、これによって、該第３の連結金具４０の第１支軸４８ａに軸支孔５５ｂを介して接触する前枠１６の第１補強板５５は、前記第１の連結金具３８のみでなく、該第３の連結金具４０を介しても金属補強板６８に電気的に接続される状態(電気的導通状態)となる。
【００３０】
(遊技盤について)
前記遊技盤１５は、前記中枠１２の遊技盤保持部２５における前記収容部２５ｃ内に適合する略正方形に成形されており、図１１に示すように、その前面に取付けられた略円形状の案内レール５０内に各種の図柄表示装置５１や入賞装置５２等の遊技用の構成部材を配置して所要のゲームを展開し得る遊技領域１５ａが構成されている。なお、遊技用の構成部材として機能する金属製の前記案内レール５０は、図９に示す如く、該レール５０に一体的に形成された複数のピン５０ａが、遊技盤１５に穿設されたピン孔１５ｂに挿通されて位置決めされ、該ピン５０ａの先端部に形成されたネジ孔に遊技盤裏面から金属製のネジ５３を螺挿することで固定される。また遊技盤１５の裏側には、前記保持具３０(実施例では下側に位置する１個の保持具３０)による保持位置に対応して金属性の導電板５４が配設され、前記案内レール５０を固定するための一部のピン５０ａは、該導電板５４に挿通されたネジ５３を介して固定されるようになっている。
【００３１】
前記導電板５４は、図９に示す如く、遊技盤１５の裏面に面接触する第１面部５４ａと、該第１面部５４ａに対して直角に折曲形成されて、遊技盤１５の一方の側端面に面接触する第２面部５４ｂとから構成される。第１面部５４ａには、遊技盤１５における保持位置に近接する複数(実施例では２つ)のピン孔１５ｂと対応する位置に前記ネジ５３の挿通を許容する通孔５４ｃが夫々穿設され、遊技盤１５のピン孔１５ｂに前側から挿通されたピン５０ａのネジ孔に、導電板５４の裏側から通孔５４ｃに挿通したネジ５３を螺挿してある。すなわち、金属製の案内レール５０と導電板５４とは、金属製のピン５０ａおよび導電板５４に頭部が接触する金属製のネジ５３を介して電気的に接続された状態(電気的導通状態)とされる。なお、遊技盤１５の遊技領域１５ａに配設される前述した図柄表示装置５１や入賞装置５２等の各種の構成部材は、遊技盤１５の裏側において、前記導電板５４に案内レール５０を接続する前記ネジ５３にアース線あるいは金属板等の接続手段を介して接続され、これによって遊技盤１５に配設される各種構成部材は、導電板５４に電気的に接続された状態(電気的導通状態)となるよう構成してある。
【００３２】
(前枠について)
前記前枠１６の裏面における一方の側に、図１０または図１２に示す如く、金属製の第１補強板５５が上下方向の略全長に亘って配設され、該補強板５５の上端は前枠１６の上面に沿うよう折曲形成され、該上折曲部に上方に突出する支持軸５５ａが一体的に設けられている。また第１補強板５５の下端は、前枠１６の下面に沿うよう折曲形成され、該下折曲部に上下に貫通する軸支孔５５ｂが穿設されており、該支持軸５５ａおよび軸支孔５５ｂを介して当該前枠１６が前述したように中枠１２に回動自在に枢支される。すなわち、支持軸５５ａおよび軸支孔５５ｂが、中枠１２に対して前枠１６を回動自在に枢支する第２の連結支持手段１８を構成する。
【００３３】
前記前枠１６の裏面における他方の側には、金属製の第２補強板５６が上下方向の略全長に亘って配設されており、該補強板５６には、前記中枠１２に配設されている施錠手段１４のフック(図示せず)が係脱可能に係合する鍵受金具５７,５７が配設されている。すなわち、フックが鍵受金具５７,５７に係合している状態では、第２補強板５６と施錠手段１４とが電気的に接続された状態(電気的導通状態)となるよう構成される。なお、前枠１６の裏面における上下位置には、左右方向に延在して第１補強板５５および第２補強板５６に接触する金属製の第３補強板５８が夫々配設され、全ての補強板５５,５６,５８,５８が相互に電気的に接続された状態(電気的導通状態)となるようにしてある(図１４参照)。実施例では、各補強板５５,５６,５８および第２の連結支持手段１８を構成する支持軸５５ａおよび軸支孔５５ｂが、前枠１６の構成部材となる。なお、支持軸５５ａおよび軸支孔５５ｂが形成される部材は、第１補強板５５とは別体であってもよく、これらが相互に接触して電気的に接続された状態(電気的導通状態)となっていればよい。
【００３４】
(上球皿について)
前記上球皿１７は、図１３に示すように、前記中枠１２の左右方向の略全長に亘って延在する横長方形状に形成されて、該中枠１２に対して開閉および着脱可能に枢支される本体部５９に、多数のパチンコ球を貯留可能な所要の深さ寸法を有する球受け皿部６０が画成されている。なお、本体部５９の内部には、球貸操作ユニット、球抜き機構、球抜き用ボタンおよびランプユニット等の各種構成部材が収容されている。また本体部５９の裏側には、図示しない球打出機構の打球作動にタイミングを合わせてパチンコ球を１球ずつ該球打出機構に向けて送り出す構成部材としての球送り装置６１が配設してある。そして、これら各構成部材は、後述する金属板部材６５に電気的に接続する状態(電気的導通状態)となるよう構成される。
【００３５】
前記本体部５９の一方の側部には、その上端部に軸支孔６２ａが形成された枢支金具６２が配設されると共に、その下端部に支持軸６３が設けられ、該軸支孔６２ａおよび支持軸６３を介して上球皿１７が、前述したように前記中枠１２に回動可能に枢支される。なお、本体部５９の裏面における前記枢支金具６２および支持軸６３の配設位置には、金属支持板(構成部材)６４が配設されており、該金属支持板６４に前記枢支金具６２および支持軸６３が接触して電気的に接続する状態(電気的導通状態)となっている。
【００３６】
前記本体部５９の裏面には、その略全面を被覆し得る大きさに形成されて、該本体部５９に歪みが発生するのを防止すると共に、上球皿１７に前後に貫通するよう設けた孔を介してパチンコ機内部に異物を挿入する等の不正行為が行なわれるのを防止する金属板部材(構成部材)６５が配設されている。この金属板部材６５における上端縁には、その略全長に亘って前側に開口する断面略コ字状の金属製の係合レール部６６が形成されており、該係合レール部６６が前記前枠１６の下縁に形成した係合部と噛合し得るよう構成されている。すなわち、前記上球皿１７と前枠１６との間に生ずる隙間を前記係合レール部６６で遮蔽して、該隙間からパチンコ機１０の内部への異物の挿入を阻止して不正行為を防止するようになっている。なお、本体部５９の裏側における他方の側部近傍には、前記中枠１２に設けた前記施錠手段１４のフック(図示せず)と係脱可能な金属製の被施錠部６７が設けられ、該施錠手段１４との係合を解除することで、前記上球皿１７を開放し得るようになっている。またこの被施錠部６７は、前記金属板部材６５に接触して電気的に接続する状態(電気的導通状態)となっており、施錠手段１４のフックが被施錠部６７に係合して接触している状態では、金属板部材６５が施錠手段１４に電気的に接続する状態(電気的導通状態)となる(図１４参照)。
【００３７】
前記球受け皿部６０は、図１３に示すように、その一方の側に位置して前後方向に所要の幅寸法を有する多数のパチンコ球を貯留可能な球貯留部６０ａと、該球貯留部６０ａから他方の側に連続的に形成されて前後の幅寸法をパチンコ球の直径寸法と略同等に設定した球整流路６０ｂとから構成されている。そして、この球整流路６０ｂには、前記金属板部材６５に電気的に接続する状態(電気的導通状態)とされる金属製の薄板(図示せず)が敷設されており、パチンコ球に帯電した静電気を金属板部材６５に逃して除去し得るようになっている。
【００３８】
(金属補強板について)
前記中枠１２に配設される第１導電部材としての金属補強板(金属プレート)６８は、図６または図７に示すように、該中枠１２における一方の側部側の裏側に、上下方向の略全長に亘って延在するよう配設され、該中枠１２の裏面に当接する第１面６９と、前記枠本体部２６における保持具３０の配設位置に対応する外側面２６ｃ(図６または図９参照)に当接する第２面７０とから略Ｌ字状に折り曲げ形成されている。また、前記第１面６９における一方の側の縁部６９ａは、中枠１２における一方の側部に倣うよう折り曲げてある。
【００３９】
図６または図７に示すように、前記金属補強板６８における上下の端部には、前記第１の連結金具３８および第２の連結金具３９の夫々に対応する位置に、前記中枠１２の裏面に沿って延在する第１取着面７１および第２取着面７２が設けられている。そして、前記第１取着面７１には、前記中枠１２の前記各第１の貫通孔２６ｂと前後に整列するよう第１のネジ孔７１ａが夫々螺設されると共に、前記第２取着面７２には、中枠１２の前記各第２の貫通孔２８ａと前後に整列するよう第２のネジ孔７２ａが夫々螺設されている。同様に、前記金属補強板６８における前記第３の連結金具４０に対応する位置には、前記中枠１２の裏面に沿って延在する第３取着面７３が形成され、中枠１２に穿設した前記各第３の貫通孔２７ａと前後に整列する位置に、第３のネジ孔７３ａが夫々螺設される。
【００４０】
すなわち、前記第１〜第３の連結金具３８,３９,４０に穿設した第１〜第３の通孔４１ａ,４５ａ,４７ａの夫々に前側から挿通したネジ４４,４４,４４は、前記第１〜第３の貫通孔２６ｂ,２８ａ,２７ａを介して対応する前記第１〜第３のネジ孔７１ａ,７２ａ,７３ａに螺挿され、該第１〜第３の連結金具３８,３９,４０の夫々を、金属補強板６８に連結固定するよう構成される。従って、第１〜第３の連結金具３８,３９,４０は、ネジ４４,４４,４４を介して金属補強板６８に電気的に接続する状態(電気的導通状態)に保持される。なお、前記中枠１２の裏側における一方の側の下端部には、図５に示す如く、金属補強板６８における第２取着面７２の外形形状に倣って後方に向けて突出する突片部７４が形成されており、該突片部７４に第２取着面７２の外縁を当接することで、該金属補強板６８を中枠１２の裏側の所定位置に位置決めし得るよう構成してある。
【００４１】
また、図７または図８に示すように、前記金属補強板６８の第２面７０には、該第２面７０を前記中枠１２の外側面２６ｃに当接した状態で、前記各保持具３０の取付け位置に対応して形成された各側部貫通孔２６ａと左右に整列する位置に、左右方向に貫通する側部通孔７０ａが夫々穿設されている。そして、前記金属補強板６８における前記第２面７０の外側から各側部通孔７０ａに挿通した金属製のネジ(連結具)３５を、各側部貫通孔２６ａに夫々挿通し、各保持具３０に形成した各ネジ孔３２ｃに夫々螺挿することで、該保持具３０が金属補強板６８に連結固定される。なお、前記金属補強板６８における前記側部通孔７０ａ,７０ａの螺設位置には、前記外側面２６ｃおよび前記遊技盤支持面２５ｂの裏側に沿って延在する折曲片７５,７５が夫々形成されると共に、該折曲片７５,７５の端部に係合片７５ａ,７５ａが上下方向に延在するよう形成されて、金属補強板６８を中枠１２の裏側に配設した際に、該係合片７５ａ,７５ａの夫々が、前記係合突部３７,３７に係合するようになっている(図５参照)。
【００４２】
(機構セット盤について)
前記中枠１２の裏面所定位置に着脱自在に配設される機構セット盤２２には、図３に示す如く、遊技盤裏面の点検用の窓口７６が開口されると共に、この窓口７６の外周囲部裏面にパチンコ球の球貯留供給部７７が配設されている。また球貯留供給部７７の下端部に、カセット形態とされる電動制御式の払出し装置７８が設置される一方、この払出し装置７８の下方に賞球または貸し球を上下の球皿１７,２０へ排出する賞球排出経路(図示せず)が形成されており、前記球貯留供給部７７に貯留された所定数のパチンコ球が、払出し装置７８の作動により賞球または貸し球として払出されるようになっている。
【００４３】
前記球貯留供給部７７は、機構セット盤２２の上部に設置される球タンク７９と、この球タンク７９における底面の下流端に開設された球出口に連通するよう下部に取着される斜状レール形の整流樋８０と、この整流樋８０の下流端に連絡するように形成された送出路８１とから構成され、相当量のパチンコ球を収容(貯留)し得るようになっている。球タンク７９および整流樋８０は、何れも導電性を有する合成樹脂を材質として成形され、整流樋８０が第１板金８２を挟んだ状態で機構セット盤２２に固定されると共に、該第１板金８２が球タンク７９に接触するよう構成される。なお、整流樋８０は、機構セット盤２２側に臨む側が開放し、この開放部分に前記第１板金８２が臨むことで、該整流樋８０に貯留されるパチンコ球が第１板金８２に直に接触するようになっている。また前記払出し装置７８は、その外郭をなす筐体が導電性を有する合成樹脂を材質として成形されると共に、該筐体が第２板金８３を挟んだ状態で機構セット盤２２に固定されており、払出し装置７８で発生した静電気は筐体を介して第２板金８２に逃し得るよう構成してある。
【００４４】
前記機構セット盤２２には、外部電源および外部アースに接続されるアース部(アース基板)としての電源基板８４が配設され、該電源基板８４に、前記第１板金８２および第２板金８３が、対応する第１アース線８５および第２アース線８６を介して電気的に接続する状態(電気的導通状態)となっている。前記第１板金８２は、図示しない接続板金を介して前記中枠１２の施錠手段１４に電気的に接続される状態(電気的導通状態)とされ、これによって施錠手段１４が、接続板金、第１板金８２および第１アース線８５を介して電源基板８４に電気的に接続された状態(電気的導通状態)となるよう構成してある(図１４参照)。なお、接続板金は、中枠１２の裏側所定位置に機構セット盤２２を位置決めセットした際に、前記施錠手段１４と接触する位置に設けられており、これにより該施錠手段１４と第１板金８２とを導通状態とするようになっている。
【００４５】
前記整流樋８０の下流端部側である一方の側に、該整流樋８０を機構セット盤２２に固定するための金属製のネジ８７を介して第２導電部材としての金属製(板金製)の導通部材８８が該機構セット盤２２に固定されている。この導通部材８８は、図１に示す如く、機構セット盤２２の裏面に沿って上下方向に延在する基部８８ａに、他方の側に向けて延在すると共に、前記ネジ８７の挿通を許容する通孔８８ｂが形成された取付部８８ｃと、基部８８ａの上端から前方に延在するよう折曲形成された接触部８９とから基本的に構成され、該接触部８９は基部８８ａに対して弾性変形可能に設定されている。なお、導通部材８８も、前記電源基板８４に第３アース線９０を介して電気的に接続された状態(電気的導通状態)とされる。
【００４６】
前記機構セット盤２２における導通部材８８の配設位置には、前後方向に貫通する挿通口９１が形成されており、該挿通口９１を介して前記接触部８９が機構セット盤２２の前面側に挿通されて所定長さだけ突出するようになっている。また接触部８９における挿通口９１から前方に突出する前端部は円弧状に折曲され、その前側弧状部８９ａは、該機構セット盤２２を前記中枠１２の裏面所定位置に位置決めセットした際に、前記金属補強板６８における上側の折曲片７５に弾力的に接触するよう構成される。すなわち、金属補強板６８に導通部材８８が接触して電気的に接続する状態(電気的導通状態)となるよう構成されることで、該金属補強板６８が前記電源基板８４に電気的に接続される状態(電気的導通状態)としてある。なお、折曲片７５に対して前側弧状部８９ａは、該折曲片７５における上下方向の略中間位置に接触するよう位置決めされている。
【００４７】
〔実施例の作用〕
次に、本実施例に係る遊技機の作用につき説明する。なお、図１４において、各部材間を接続する線については、直接またはネジ等を介して接触することで電気的に接続する部分は実線で示し、アース線を介して電気的に接続する部分は点線で示している。
【００４８】
前記中枠１２に対する前記第１〜第３の連結金具３８,３９,４０および前記保持具３０の組付け態様について説明する。前記金属補強板６８の第２取着面７２の外縁を、前記中枠１２における裏側における一方の側の下端部に突設した前記突片部７４に当接させて、該金属補強板６８を中枠１２の裏側に位置決めし、金属補強板６８の第２面７０を中枠１２の外側面２６ｃに当接することで、当該金属補強板６８の前記第１〜第３のネジ孔７１ａ,７２ａ,７３ａが、対応する中枠１２の前記第１〜第３の貫通孔２６ｂ,２８ａ,２７ａと、前後方向に整列する。また、金属補強板６８の第２面７０に形成された前記各側部通孔７０ａが、対応する中枠１２の前記側部貫通孔２６ａと、夫々左右方向に整列する。なお、このとき金属補強板６８の前記各折曲片７５の係合片７５ａ,７５ａが中枠１２の裏面に形成した係合突部３７,３７に夫々係合して該折曲片７５は所定位置に位置決めされる。
【００４９】
この状態で、前記枠本体部２６(中枠１２)における一方の側の上端部前面に、前記第１の連結金具３８の第１取付面４１を、該第１取付面４１に穿設した前記各第１の通孔４１ａが枠本体部２６(中枠１２)の前記第１の貫通孔２６ｂの夫々に整列するようにして当接させる。そして、第１の連結金具３８の前側から各第１の通孔４１ａの夫々に挿通したネジ４４を、対応する第１の貫通孔２６ｂに夫々挿通して、前記金属補強板６８の第１のネジ孔７１ａに夫々螺挿することで、該第１の連結金具３８が枠本体部２６(中枠１２)の一方の側の上端部にネジ止めされる。
【００５０】
同様に、前記設置盤２８(中枠１２)における一方の側の下端部前面に、前記第２の連結金具３９の第２取付面４５を、該第２取付面４５に穿設した前記各第２の通孔４５ａが設置盤２８(中枠１２)の前記第２の貫通孔２８ａの夫々に整列するようにして当接させる。そして、第２の連結金具３９の前側から各第２の通孔４５ａの夫々に挿通したネジ４４を、対応する第２の貫通孔２８ａに夫々挿通して、前記金属補強板６８の第２のネジ孔７２ａに夫々螺挿することで、該第２の連結金具３９が設置盤２８(中枠１２)の一方の側の下端部にネジ止めされる。更に、前記遊技補助盤２７(中枠１２)における一方の側の前面に、前記第３の連結金具４０の第３取付面４７を、該第３取付面４７に穿設した前記各第３の通孔４７ａが遊技補助盤２７(中枠１２)の前記第３の貫通孔２７ａの夫々に整列するようにして当接させる。そして、第３の連結金具４０の前側から各第３の通孔４７ａの夫々に挿通したネジ４４を、対応する第３の貫通孔２７ａに夫々挿通して、前記金属補強板６８の第３のネジ孔７３ａに夫々螺挿することで、該第３の連結金具４０が遊技補助盤２７(中枠１２)の一方の側の前面にネジ止めされる。
【００５１】
すなわち、前記中枠１２における一方の側の前面に配設された第１〜第３の連結金具３８,３９,４０は、ネジ４４,４４,４４を介して該中枠１２の対応する裏面に配設された金属補強板６８に対して金属同士の接触により電気的に接続する状態(電気的導通状態)とされる。また、第１〜第３の連結金具３８,３９,４０の夫々を中枠１２に対して直接ネジ止めすることなく、該中枠１２を挟んだ状態で金属補強板６８にネジ止めしたことで、各連結金具３８,３９,４０を強固に固定することができる。しかも、樹脂製の中枠１２にネジ孔を形成しないから、該ネジ孔が損傷してネジ４４が緩むことは抑制され、各連結金具３８,３９,４０のガタツキや、金属補強板６８が中枠１２から離間するのは防止し得る。
【００５２】
次に、前記枠本体部２６(中枠１２)における遊技盤保持部２５を構成する一方の側の側壁面２５ａに、前記各保持具３０における固定部材３２の取付面３２ｂを、該取付面３２ｂに穿設した前記各ネジ孔３２ｃが枠本体部２６(中枠１２)の前記側部貫通孔２６ａの夫々に整列するようにして当接させる。そして、前記金属補強板６８の外側から前記第２面７０に穿設した各側部通孔７０ａの夫々に挿通したネジ３５を、対応する側部貫通孔２６ａに夫々挿通して、固定部材３２の各ネジ孔３２ｃに夫々螺挿することで、各保持具３０が側壁面２５ａに夫々ネジ止めされる。
【００５３】
すなわち、前記中枠１２における遊技盤保持部２５の一方の側の側壁面２５ａに配設された保持具３０,３０は、ネジ３５,３５を介して該中枠１２の対応する外側面に配設された金属補強板６８に対して金属同士の接触により電気的に接続する状態(電気的導通状態)とされる。また、各保持具３０の夫々を中枠１２に対して直接ネジ止めすることなく、該中枠１２を挟んだ状態で金属補強板６８にネジ止めしたことで、各保持具３０を強固に固定することができる。しかも、樹脂製の中枠１２にネジ孔を形成しないから、該ネジ孔が損傷してネジ３５が緩むことは抑制され、各保持具３０のガタツキや、金属補強板６８が中枠１２から離間するのは防止し得る。
【００５４】
次に、前記第１〜３の連結金具３８,３９,４０および保持具３０,３０が配設された中枠１２に対する前枠１６、上球皿１７および遊技盤１５の組付け態様につき説明する。
【００５５】
先ず、前記前枠１６に関しては、前記第１補強板５５の下端部に形成した軸支孔５５ｂに、前記第３の連結金具４０の第１支軸４８ａを挿通したもとで、該第１補強板５５の上端部に形成した前記支持軸５５ａを、前記第１の連結金具３８の第２軸孔４２ｂに挿通することにより、当該前枠１６は前記中枠１２に対して開閉自在に枢支される。このとき、第１補強板５５は、支持軸５５ａおよび軸支孔５５ｂを介して第１の連結金具３８および第３の連結金具４０に金属同士の接触により電気的に接続する状態(電気的導通状態)となる。また第１補強板５５には、図１２または図１４に示す如く、前枠１６の上下に配設されている前記第３補強板５８,５８を介して前記第２補強板５６が電気的に接続されているから、該前枠１６に配設されている全ての構成部材である補強板５５,５６,５８,５８は、第１の連結金具３８および第３の連結金具４０に電気的に接続する状態(電気的導通状態)となる。なお、中枠１２に対して前枠１６を閉成し、該中枠１２に配設されている前記施錠手段１４のフックを前記第２補強板５６に設けられている鍵受金具５７,５７に係合して施錠することで、該施錠手段１４と第２補強板５６とが金属同士の接触により電気的に接続する状態(電気的導通状態)となる。
【００５６】
すなわち、前枠１６の各構成部材である補強板５５,５６,５８,５８に帯電した静電気は、第１の連結金具３８、第３の連結金具４０および施錠手段１４を介して中枠１２側(金属補強板６８)に逃すことができる。しかも、前枠１６と中枠１２とは、該前枠１６を装着または施錠するだけで電気的に接続する状態(電気的導通状態)となるから、アース線を用いる必要はなく、着脱や開閉作業は簡単となる。またアース線を用いないため、断線等により前枠１６の静電気除去対策ができなくなる事態の発生は防止される。
【００５７】
次に、前記上球皿１７に関しては、前記本体部５９の一方の側における上端部に形成した軸支孔６２ａに、前記第３の連結金具４０の第２支軸４８ｂを挿通したもとで、該本体部５９の下端部に設けた前記支持軸６３を、該第３の連結金具４０の軸孔４９ａに挿通することにより、当該上球皿１７は前記中枠１２に対して開閉自在に枢支される。このとき、本体部５９に配設されて前記軸支孔６２ａが形成される枢支金具６２および支持軸６３に接触する金属支持板６４は、第３の連結金具４０に金属同士の接触により電気的に接続する状態(電気的導通状態)となる。また、中枠１２に対して上球皿１７を閉成し、該中枠１２に配設されている前記施錠手段１４のフックを前記被施錠部６７に係合して施錠することで、該施錠手段１４と被施錠部６７が接触する前記金属板部材６５とが金属同士の接触により電気的に接続する状態(電気的導通状態)となる。この金属板部材６５には、上球皿１７に配設されている球貸操作ユニット、球抜き機構、球抜き用ボタン、ランプユニット、球送り装置６１および金属性の薄板等の各種構成部材が電気的に接続されているから、これら構成部材も施錠手段１４に電気的に接続する状態(電気的導通状態)となる。
【００５８】
すなわち、前記上球皿１７の球受け皿部６０に貯留されたパチンコ球や球送り装置６１等を流通するパチンコ球により発生して、前記金属支持板６４や金属板部材６５等の各種構成部材に帯電した静電気は、第３の連結金具４０および施錠手段１４を介して中枠１２側(金属補強板６８)に逃すことができる。しかも、上球皿１７と中枠１２とは、該上球皿１７を装着または施錠するだけで電気的に接続する状態(電気的導通状態)となるから、アース線を用いる必要はなく、着脱や開閉作業は簡単となる。またアース線を用いないため、断線等により上球皿１７の静電気除去対策ができなくなる事態の発生は防止される。
【００５９】
前記中枠１２の側壁面２５ａに配設されている各保持具３０においては、前記固定部材３２に対して回動自在に軸支された保持部材３４は、遊技盤１５の挿入方向である前面側に向けて前記付勢手段３６により付勢されて、その第２規制面３４ｂと遊技盤支持面２５ｂとの間が広く開放されると共に、第１規制面３４ａが前面側に臨んでいる。この状態で、前記遊技補助盤２７の上端縁に載置した遊技盤１５の一方の側端部を、前記保持具３０における保持部材３４の第２規制面３４ｂと、前記遊技盤支持面２５ｂとの間に開放された空間より挿入する。そして、前記保持部材３４の第１規制面３４ａに遊技盤１５の側端面を当接させ、該遊技盤１５を後方に保持具３０を支点として回動させるにつれて、該保持部材３４は前記枢支軸３３を支点として回動する。そして、前記遊技盤１５の背面が遊技盤支持面２５ｂに当接することで、その回動が規制されると共に、該遊技盤支持面２５ｂと第２規制面３４ｂとで、該遊技盤１５の一方の側端部が挟持された状態で保持され、遊技盤１５全体は前記遊技盤保持部２５の収容部２５ｃに収容される(図９参照)。更に、前記遊技盤１５の他方の側端部を、遊技盤保持部２５の他方の側の遊技盤支持面２５ｂに配設されている前記固定装置３１で固定支持することで、該遊技盤１５は収容部２５ｃ内にセットされる。
【００６０】
前記保持具３０および固定装置３１を介して遊技盤保持部２５の収容部２５ｃに収容セットされた遊技盤１５において、下側の保持具３０による保持位置に対応して配設されている前記導電板５４の第２面部５４ｂは、図９に示す如く、保持具３０における保持部材３４の第１規制面３４ａに面接触している。また、この導電板５４の第１面部５４ａには、前記案内レール５０がピン５０ａおよびネジ５３を介して電気的に接続されると共に、図示しないアース線や金属板等を介して遊技盤１５に配設されている図柄表示装置５１や入賞装置５２等の他の構成部材も電気的に接続されており、従って該遊技盤１５の各種構成部材は、保持具３０に電気的に接続された状態(電気的導電状態)となる。
【００６１】
すなわち、パチンコ遊技により遊技領域１５ａを落下するパチンコ球により発生して、遊技盤１５に配設されている案内レール５０、図柄表示装置５１や入賞装置５２等の各種構成部材に帯電した静電気は、保持具３０を介して中枠１２側(金属補強板６８)に逃すことができる。しかも、遊技盤１５と中枠１２とは、該遊技盤１５を装着するだけで電気的に接続する状態(電気的導通状態)となるから、アース線を用いる必要はなく、着脱作業は簡単となる。またアース線を用いないため、断線等により遊技盤１５の静電気除去対策ができなくなる事態の発生は防止される。なお、中枠１２に保持具３０を固定するためのネジ３５,３５は、図８に示す如く、前記金属補強板６８における各折曲片７５が形成される部位に対応して穿設された側部通孔７０ａ,７０ａに挿通されるようになっているから、該ネジ３５,３５により折曲片７５が中枠１２の外面から離間するのは防止され、該折曲片７５の確実な位置決めが達成される。
【００６２】
前記中枠１２に配設されている発射レール２９で案内されるパチンコ球や各種の球通路を流通するパチンコ球に帯電している静電気は、導電性を有する中枠１２に流れて除去される。
【００６３】
次に、前記中枠１２に対する機構セット盤２２の組付け態様につき説明する。該中枠１２の裏側において、機構セット盤２２を裏面所定位置に位置決めセットすると、前記挿通口９１から前方に突出している前記導通部材８８の接触部８９が、図１に示す如く、中枠１２の裏側に配設されている前記金属補強板６８における上方に位置する折曲片７５に弾力的に接触する。また、前記球タンク７９と整流樋８０との間に配設されている前記第１板金８２が、接続板金を介して中枠１２の施錠手段１４に電気的に接続される。導通部材８８および第１板金８２は、第１アース線８５および第３アース線９０を介して前記電源基板８４に夫々電気的に接続されているから、金属補強板６８および施錠手段１４が電源基板８４に電気的に接続された状態(電気的導通状態)となる。
【００６４】
前述したように、前記金属補強板６８に電気的に接続する中枠１２の一方の側に配設されている各連結金具３８,３９,４０、および他方の側に配設されている施錠手段１４には、該中枠１２の前側に配設されている遊技盤１５や前枠１６および上球皿１７の各構成部材が電気的に接続されている。従って、前枠１６や上球皿１７の各構成部材に帯電した静電気は、金属補強板６８および施錠手段１４を介して機構セット盤２２の電源基板８４に逃がすことができる。しかも、機構セット盤２２を中枠１２の所定位置に装着するだけで、該中枠側に配設される各種構成部材と機構セット盤２２の電源基板８４とを電気的に接続する状態(電気的導通状態)とし得るから、アース線を用いる必要はなく、点検や交換等に際しての機構セット盤２２の着脱や開閉作業は簡単となる。またアース線を用いないため、断線等により静電気除去対策ができなくなる事態の発生は防止される。
【００６５】
なお、機構セット盤２２に配設されている前記球タンク７９および整流樋８０に貯留されるパチンコ球により発生して該タンク７９や樋８０に帯電した静電気は、前記第１板金８２および第１アース線８５を介して電源基板８４に逃がすことができる。また前記払い出し装置７８を通流するパチンコ球により発生して該装置７８に帯電した静電気は、前記第２板金８３および第２アース線８６を介して電源基板８４に逃がすことができる。
【００６６】
前記金属補強板６８に接触する導通部材８８の接触部８９は、機構セット盤２２を中枠１２にセットした状態においては、常に金属補強板６８の折曲片７５に接触する方向(押付けられる方向)に付勢されているから、中枠１２に対して機構セット盤２２の組付け誤差があったり、パチンコ機１０が振動等した場合であっても、接触部８９を常に折曲片７５に接触させる状態に保つことができ、遊技機電気的導通状態(アース接続状態)の信頼性が向上する。また、接触部８９の折曲片７５と接触する前側弧状部８９ａは円弧状となっているから、中枠１２に機構セット盤２２をセットする際に折曲片７５に対して前側弧状部８９ａはスライドし易く、両者７５,８９ａの接触面が削れたり変形するのは抑制される。従って、折曲片７５と前側弧状部８９との間の導電値(抵抗値)が、遊技機開発者が想定していた値と異なることはなく、確実な静電気除去対策が図れる。
【００６７】
更に、実施例では前記中枠１２の一方の側に配設された金属補強板６８と、他方の側に配設された施錠手段１４との両方に、該中枠１２の前側に配設されている前枠１６、上球皿１７および遊技盤１５からの静電気が流れるようになっているから、中枠１２の左右における電位を統一することができる。また金属補強板６８は中枠１２の上下方向の略全長に亘って配設されているから、該中枠１２の上下における電位を統一し得る。すなわち、中枠１２の全体の電位が統一され、効率的な静電気除去対策を行なうことができる。
【００６８】
以上説明した如く、実施例のパチンコ機１０では、中枠１２に対して前枠１６、上球皿１７、遊技盤１５および機構セット盤２２を取付けるだけで、各構成部材に帯電した静電気を機構セット盤２２の電源基板８４に流して除去し得るから、静電気を原因としたノイズ発生およびこれにより機器の誤動作、故障等を好適に回避し得る。また、中枠１２と前枠１６、上球皿１７、遊技盤１５および機構セット盤２２との各電気的導通を図るアース線を別途準備する必要がないから、該アース線の配線作業や断線回避のための取回しを考慮する必要もない。
【００６９】
〔変更例〕
なお、実施例では、前記遊技盤を前記中枠前面の前枠を開放したもとで前面側から着脱するよう構成したタイプについて説明したが、外枠から開放された中枠裏側の機構セット盤を開放または取外したもとで裏面側から着脱するよう構成したタイプであっても、本発明の構成を採用可能である。
【００７０】
また実施例では、第２導電部材としての導通部材は、それ自身の弾性力によって第１導電部材としての金属補強板(折曲片)に接触する方向に付勢されるよう構成したが、機構セット盤に対して前後方向に移動可能に構成した第２導電部材を、バネ等の弾性部材によって常には第１導電部材に接触する方向に付勢する構成を採用し得る。
【００７１】
〔付記〕
また、本発明の具体的構成としては、以下のような限定が可能である。
〔付記１〕
請求項１の遊技機において、前記中枠に対して前記前面枠を開閉可能に支持するヒンジ金具に、該前面枠の構成部材が電気的に接続され、このヒンジ金具と、中枠に配設された前記第１導電部材としての金属プレートとを金属製の連結具によって中枠を挟んで直接連結するよう構成する。
【００７２】
付記１の構成によれば、前記中枠に対して前記前面枠を開閉可能に支持するヒンジ金具に、該前面枠の構成部材を電気的に接続すると共に、該ヒンジ金具を第１導電部材としての金属プレートに金属製の連結具を介して直接連結することで、前面枠の構成部材と中枠の金属プレートとをアース線を用いることなく電気的に確実に接続することができる。従って、中枠の裏面所定位置にセット盤を位置させることによって、前面枠の構成部材とアース部とを電気的に確実に接続し得る。また、ヒンジ金具と金属プレートを、中枠を挟んで直接連結したので、ネジ穴破壊を防止し得ると共に、強固な固定を実現し得る。
【００７３】
〔付記２〕
請求項１の遊技機において、前記中枠に形成された遊技盤用の収容部における内側辺に保持金具が位置し、前記収容部に遊技盤を収容した際に、該遊技盤はその構成部材と電気的に接続する被保持部に前記保持金具が接触して保持され、前記保持金具と、中枠に配設された前記第１導電部材としての金属プレートとを金属製の連結具によって中枠を挟んで直接連結するように構成する。
【００７４】
付記２の構成によれば、前記中枠に形成した遊技盤用の収容部における内側辺に位置する保持金具に、第１導電部材としての金属プレートを金属製の連結具を介して直線連結すると共に、遊技盤の構成部材と電気的に接続する被保持部が、前記収容部に遊技盤を収容した際に保持金具に接触して保持されるよう構成したから、遊技盤の構成部材と中枠の金属プレートとをアース線を用いることなく電気的に確実に接続することができる。従って、中枠の裏面所定位置にセット盤を位置させることによって、遊技盤の構成部材とアース部とを電気的に確実に接続し得る。また、保持金具と金属プレートを、中枠を挟んで直接連結したので、ネジ穴破壊を防止し得ると共に、強固な固定を実現し得る。
【図面の簡単な説明】
【００７５】
【図１】本発明の好適な実施例に係るパチンコ機の機構セット盤における導通部材の配設部位を示す要部概略斜視図である。
【図２】実施例に係るパチンコ機を示す正面図である。
【図３】実施例に係るパチンコ機を一部省略して示す背面図である。
【図４】実施例に係る中枠を示す正面図である。
【図５】実施例に係る中枠を示す背面図である。
【図６】実施例に係る中枠を示す側面図である。
【図７】実施例に係る中枠から金属補強板および各連結金具を取外した状態で示す概略斜視図である。
【図８】実施例に係る中枠における保持具の配設部位を分解状態で示す要部概略斜視図である。
【図９】実施例に係る遊技盤が配設された中枠の要部断面図である。
【図１０】実施例に係る中枠と前枠および上球皿の連結部位を分解状態で示す正面図である。
【図１１】実施例に係る遊技盤の正面図である。
【図１２】実施例に係る前枠の背面図である。
【図１３】実施例に係る上球皿を裏側から視た概略斜視図である。
【図１４】実施例に係るパチンコ機における各構成部材の電気的導通状態を示す説明図である。
【符号の説明】
【００７６】
１２  中枠
１５  遊技盤
１６  前枠(前面枠)
１７  上球皿(前面枠)
２２  機構セット盤(セット盤)
５０  案内レール(構成部材)
５１  図柄表示装置(構成部材)
５２  入賞装置(構成部材)
５５  第１補強板(構成部材)
５６  第２補強板(構成部材)
５８  第３補強板(構成部材)
６１  球送り装置(構成部材)
６４  金属支持板(構成部材)
６５  金属板部材(構成部材)
６８  金属補強板(第１導電部材)
８４  電源基板(アース部)
８８  導通部材(第２導電部材)
８９  接触部
【図１】
2005095330.tif 000003
【図２】
2005095330.tif 000004
【図３】
2005095330.tif 000005
【図４】
2005095330.tif 000006
【図５】
2005095330.tif 000007
【図６】
2005095330.tif 000008
【図７】
2005095330.tif 000009
【図８】
2005095330.tif 000010
【図９】
2005095330.tif 000011
【図１０】
2005095330.tif 000012
【図１１】
2005095330.tif 000013
【図１２】
2005095330.tif 000014
【図１３】
2005095330.tif 000015
【図１４】
2005095330.tif 000016